(57)【要約】【課題】移乗が非常に容易であると共に、構造が単純で低コストな介護用車椅子を提供する。【解決手段】座部３と、この座部３を支持する支持脚４、５と、リクライニングが可能な背凭れ部２と、を備える椅子部１０と、車輪９２と、前記椅子部１０を搭載する基台９１と、を備えるベース部９０と、から成り、前記支持脚４、５が、Ｘ字状に交差して配置されると共に、交差部分が各々回動自在に軸着される、第一の支持脚４と第二の支持脚５から構成され、この第一の支持脚４と第二の支持脚５の交差角度を変化させて前記座部３の高さを可変にする高さ調節機構８０をさらに備える。【選択図】図１
0003151138.tif 000002
【実用新案登録請求の範囲】
【請求項１】
座部と、該座部を支持する支持脚と、リクライニングが可能な背凭れ部と、を備える椅子部と、
車輪と、前記椅子部を搭載する基台と、を備えるベース部と、から成り、
前記支持脚が、Ｘ字状に交差して配置されると共に、交差部分が各々回動自在に軸着される、第一の支持脚と第二の支持脚から構成され、
該第一の支持脚と第二の支持脚の交差角度を変化させて前記座部の高さを可変にする高さ調節機構をさらに備えることを特徴とする介護用車椅子。
【請求項２】
前記第一の支持脚は、下端が前記基台に回動可能に軸着され、上端が座部に対して前後にスライド可能であり、
前記第二の支持脚は、下端が基台に対して前後にスライド可能であり、上端が座部に回動自在に軸着されることを特徴とする請求項１に記載の介護用車椅子。
【考案の詳細な説明】
【技術分野】
【０００１】
本考案は、被介護者の移動及び入浴介護を行うための介護用車椅子に関する。
【背景技術】
【０００２】
これまで、被介護者、特に自立的な移動が困難な被介護者の入浴は、入浴用リフト等を備える専用の入浴設備や、入浴用車椅子を用いることで行われていた。
【考案の概要】
【考案が解決しようとする課題】
【０００３】
しかしながら、これまでの入浴用リフトや入浴用車椅子を用いた入浴介護は、介護者にとっても被介護者にとっても非常に負担の大きい作業だった。例えば、入浴用リフトを用いる場合は通常、被介護者をベッドから車椅子へ、さらに車椅子から入浴用リフトへと、複数回移乗させなければいけないという難点があった。このような移乗は、介護者にとって重労働であると共に、被介護者にとっても精神的なストレスになり得る。車椅子のまま直接入浴が可能な入浴用車椅子の場合でも、その入浴用車椅子への移乗が困難であるという点では同様の問題を有していた。
【０００４】
そこで、本考案は、上記状況に鑑みて、移乗が非常に容易であると共に、構造が単純で低コストな介護用車椅子を提供することを目的とする。
【課題を解決するための手段】
【０００５】
上記課題を解決するために、本考案は、座部と、この座部を支持する支持脚と、リクライニングが可能な背凭れ部と、を備える椅子部と、車輪と、前記椅子部を搭載する基台と、を備えるベース部と、から成り、前記支持脚が、Ｘ字状に交差して配置されると共に、交差部分が各々回動自在に軸着される、第一の支持脚と第二の支持脚から構成され、この第一の支持脚と第二の支持脚の交差角度を変化させて前記座部の高さを可変にする高さ調節機構をさらに備えることを特徴とする介護用車椅子を提供する。
【０００６】
ここで、前記第一の支持脚は、下端が前記基台に回動可能に軸着され、上端が座部に対して前後にスライド可能であり、前記第二の支持脚は、下端が基台に対して前後にスライド可能であり、上端が座部に回動自在に軸着されるのが好適である。
【考案の効果】
【０００７】
本考案の介護用車椅子によれば、被介護者を乗せたまま座部の高さ調節が可能でベッド等からの移乗が容易であると共に、車椅子ごとの入浴が可能であるため、従来の入浴介護の手間とストレスを軽減させることができる。また、構造が単純であるため、コストも抑えることができる。
【図面の簡単な説明】
【０００８】
【図１】本考案の一実施形態に係る介護用車椅子の概略を示す全体模式図である。
【図２】本考案の一実施形態に係る介護用車椅子の、高さ調節機構の一例を示す模式図である。
【図３】本考案の一実施形態に係る介護用車椅子の、座部の裏側を示す模式図である。
【考案を実施するための形態】
【０００９】
以下、本考案の実施の形態について、図面を参照しながら詳細に説明する。
【００１０】
図１は、本考案の一実施形態に係る介護用車椅子の概略を示す全体模式図である。この図に示すように、介護用車椅子１は、椅子部１０と、ベース部９０とから構成されている。
【００１１】
椅子部１０は、背凭れ部２と、座部３と、座部３を支持する支持脚４、５と、を備えている。背凭れ部２の上端部側部には、介護者が介護用車椅子１を操作するためのグリップ６が取り付けられている。また、必要時に背凭れ部２の長さを延長するための補助背凭れ部２Ａが設けられていても良い。補助背凭れ部２Ａは、背凭れ部２の延長方向に一定長さだけスライド可能に設けられている。背凭れ部２は、その下端部近傍に設けられたリクライニング機構２１により、座部３に対してリクライニングすることが可能である。
【００１２】
座部３は、Ｘ字状に交差して配置される第一の支持脚４、第二の支持脚５により、床面に対して略水平に支持される。交差する第一の支持脚４及び第二の支持脚５よりなる一対の支持脚は、座部３の幅方向端部に一対ずつ、合計二対配置されて座部３を支持する。第一の支持脚４は、その下端が枢着部９１Ａにより、後述するベース部９０の基台９１に、軸４１回りに回動自在に取り付けられている。また、第一の支持脚４の上端には、ピン４２が突設されている（図３参照）。ピン４２は、座部３を形成するフレーム３Ａに穿設された長穴３１に係合している。ピン４２の頭部には抜け止め４２Ａが設けられているため、ピン４２は長穴３１に対して、スライド動作のみ許容されている。
【００１３】
第二の支持脚５は、その下端にロック付キャスター５１が設けられている。このロック付キャスター５１は前後方向にのみ移動可能であるのが好適である。そのために例えば、後述する基台９１に、ロック付キャスター５１の移動を前後方向の一定範囲のみに規制する溝等を形成するようにしても良い。ロック付キャスター５１のロックは、座部３の高さ調節を行う際にのみ解除し、それ以外のとき（特に、被介護者を乗せているとき）にはロックをかけておくのが安全面からも望ましい。第二の支持脚５の上端は、座部３のフレーム３Ａに軸５２回りに回動自在に取り付けられている。この軸５２には、フットレスト７を他端に備えたフットレスト支持脚７１が共に軸着されても良い。但し、フットレスト支持脚７１は、別に他の軸を設けて座部３に設けられていても良い。
【００１４】
第一の支持脚４と第二の支持脚５は、Ｘ字状に交差して配置されており、その交差部で、軸５３により互いに回動自在に連結されている。このため、高さ調節機構８０によって第一の支持脚４と第二の支持脚５の交差する角度を変化させることにより、座部３の高さを調節することが可能となる。つまり、第一の支持脚４の上端と第二の支持脚５の上端が作る角度を小さくすると座部３は上昇し、第一の支持脚４の上端と第二の支持脚５の上端が作る角度を大きくすると座部３は下降する（図１の点線部参照）。
【００１５】
ここで、高さ調節機構８０の構成について説明する。図２に高さ調節機構８０を示す。また、図３は座部３を裏側から見た図である。これらの図に示すように、座部３のフレーム３Ａには、座部３の幅方向略中央において、座部３の前後に亘ってネジ棒８１が渡されている。ネジ棒８１はフレーム３Ａに対して円周方向に回転自在に架け渡されており、その一方端（ここでは背凭れ部２側の端部）には、ネジ棒８１を円周方向に回転させるためのハンドル８２が設けられている。ネジ棒８１には、その一部又は全部にネジ山が形成されている（ネジ形成部８１Ａ）。
【００１６】
一方、座部３の幅方向端部近傍にそれぞれ配置される二つの第一の支持脚４は、図３に示すように連結軸８４で連結されている。この連結軸８４は、二つの第一の支持脚４に対して円周方向に回転自在に設けられている。そして、連結軸８４の略中央には、ネジ棒８１のネジ形成部８１Ａと螺合する送りナット８３が固定されている。
【００１７】
上記のように構成したため、高さ調節機構８０は以下のようにして座部３の高さ調節を可能にする。まず、ハンドル８２を手動で回転させると、これに伴ってネジ棒８１が回転する。ネジ棒８１と共にネジ形成部８１Ａが回転すると、ネジ棒８１と螺合する送りナット８３は、ネジに送られてネジ棒８１の軸方向に移動する。送りナット８３が移動すると、この送りナット８３と連結軸８４により連結された第一の支持脚４の上端が共に動き、ピン４２がフレーム３Ａの長穴３１をスライドする。このスライドに伴い第一の支持脚４は枢着部９１Ａの軸４１回りに回動する。第一の支持脚４が軸４１回りに回動すると、交差する支持脚４、５の軸５１と、第二の支持脚５の下端のロック付キャスター５１の作用により、第二の支持脚５も軸５２回りに回動する。これに伴って、上述のように支持脚４、５はその交差角度が変化し、座部３が上昇又は下降することになる。このようにして、座部３の高さ調節が可能となる。
【００１８】
なお、ここでは高さ調節を行うハンドル８２を、座部３の後方側に設けるものとしたが、背凭れ部２との干渉を避けるために座部３の前方側に設けるようにしても良い。
【００１９】
ベース部９０は、椅子部１０を搭載する基台９１と、この基台９１に設けられ、介護用車椅子１全体の移動を可能にする車輪９２とから構成される。基台９１は、板状部材から構成されても良いし、フレームで構成されても良い。基台９１の前端部近傍には、上述のように枢着部９１Ａが設けられ、ここに第一の支持脚４の下端が軸着される。
【００２０】
本考案の介護用車椅子１は、車椅子１ごとの入浴を可能にするため、フレーム材や車輪、その他の構成部材はすべて防錆、防水材を用いる必要がある。座部３や背凭れ部２、フットレスト７等も濡れによる影響の少ない素材（例えば、ポリ塩化ビニル等の樹脂等）から構成する。
【００２１】
上記のように構成したため、本考案の介護用車椅子を用いる際は、座部３をベッド等の高さに合わせると共に、背凭れ部２をリクライニングさせることが可能であり、被介護者のベッド等からの移乗が容易である。そして、その移乗の後に、座部３を上昇させ、背凭れ部２のリクライニングも起こして、このまま浴場まで被介護者を運び、車椅子１ごと入浴させることが可能である。入浴後も逆の手順で被介護者をベッド等に戻すことが容易であり、従来の入浴介護の手間とストレスを軽減させることが可能である。また、構造が単純であるため、コストも抑えることができる。
【００２２】
以上、本考案の実施形態について説明したが、本考案は上記実施形態に限定されるものではなく、本考案の趣旨に基づき種々の変形が可能であり、これらを本考案の範囲から排除するものではない。
【産業上の利用可能性】
【００２３】
本考案は、被介護者の移動及び入浴介護を行うための介護用車椅子に関し、産業上の利用可能性を有する。
【符号の説明】
【００２４】
１      介護用車椅子
１０    椅子部
２      背凭れ部
２Ａ    補助背凭れ部
２１    リクライニング機構
３      座部
３Ａ    フレーム
３１    長穴
４      第一の支持脚
４１    軸
４２    ピン
４２Ａ  抜け止め
５      第二の支持脚
５１    ロック付キャスター
５２    軸
５３    軸
６      グリップ
７      フットレスト
７１    フットレスト支持脚
８０    高さ調節機構
８１    ネジ棒
８１Ａ  ネジ形成部
８２    ハンドル
８３    送りナット
８４    連結軸
９０    ベース部
９１    基台
９１Ａ  枢着部
９２    車輪
【図１】
0003151138.tif 000003
【図２】
0003151138.tif 000004
【図３】
0003151138.tif 000005